(57)【要約】【課題】原稿の厚みによらず、原稿サイズを検知することができる画像読取装置を提供する。【解決手段】画像読取装置において、カバー３が閉じられて、カバー３の角度が変化する際、複数の角度のそれぞれで、主走査方向のラインセンサ２０３の画像濃度を検出する。当該複数の角度での検出出力において、原稿が存在する場所は出力に変化がなく、原稿が存在しない場所は出力に変化がない。この特定に基づき、原稿の存在範囲を特定し、原稿サイズを検出する。【選択図】図１
2012217092.tif 000002
【特許請求の範囲】
【請求項１】
原稿を押さえるための原稿押さえ手段と、
前記原稿押さえ手段の開閉の角度を検知する角度検知手段と、
原稿の大きさを検知する原稿サイズ検知手段とを備え、
前記原稿サイズ検知手段は、前記角度検知手段によって検知された少なくとも２つの角度のそれぞれのときに、前記原稿の大きさを検知する、画像読取装置。
【請求項２】
原稿が載置される載置手段をさらに備え、
前記角度検知手段は、前記原稿押さえ手段の前記載置手段に対する角度を検知する、請求項１に記載の画像読取装置。
【請求項３】
前記原稿サイズ検知手段は、前記角度検知手段の検知する角度が３０度から２度の間の少なくとも２つの角度において、前記原稿の大きさを検知する、請求項１または請求項２に記載の画像読取装置。
【請求項４】
前記原稿サイズ検知手段は、前記原稿押さえ手段が閉じられるように動作しているときに、前記原稿の大きさを検知する、請求項１〜請求項３のいずれかに記載の画像読取装置。
【請求項５】
前記原稿サイズ検知手段は、前記少なくとも２つの角度で検出された前記原稿の大きさの検知のための出力における、変化の有無に基づいて、前記原稿の大きさを検知する、請求項１〜請求項４のいずれかに記載の画像読取装置。
【請求項６】
前記原稿サイズ検知手段は、前記原稿の画像を読取る、請求項１〜請求項５のいずれかに記載の画像読取装置。
【請求項７】
前記角度検知手段は、前記原稿押さえ手段の回転量を検知するための手段を含む、請求項１〜請求項６のいずれかに記載の画像読取装置。
【発明の詳細な説明】
【技術分野】
【０００１】
本発明は、画像読取装置に関し、特に、原稿のサイズを検知する機能を備えた画像読取装置に関する。
【背景技術】
【０００２】
画像読取装置は、原稿ガラス上に配置された原稿の画像を読取る。このような装置において、原稿の大きさを判別する機能を有しているものが一般的である。当該機能により、ユーザは、原稿のサイズ指定をすることなく、様々な原稿サイズの中から最適な大きさの読取り画像を得ることができる。
【０００３】
原稿サイズ検知方法は、原稿ガラス下にある画像読取手段が原稿の一部を読み取り、そのときの出力で原稿サイズを判別するものである。
【０００４】
例えば、原稿ガラス上に地肌の白い原稿が配置された場合、画像読取手段は原稿押さえが開いているときに原稿サイズ検知を行うと原稿のある場所では白い画像が、原稿の無い場所では黒い画像が、読み取られる。これにより、原稿のある場所と無い場所を区別でき、原稿サイズ検知可能になる。
【０００５】
なお、地肌の色が白以外の原稿が配置された場合、原稿のある場所とない場所の画像の濃度差が小さく判別できないときがある。このため、画像読取手段は、上記した原稿押さえが開いた状態の他に、原稿押さえが閉じているときにもう一度原稿サイズ検知を行う。後者の原稿サイズ検知では、原稿のある場所では白くない画像が、原稿のない場所では白（原稿押さえの色）の画像が、読み取られる。これにより、原稿サイズ検知が可能になる。
【０００６】
このように、原稿の地肌の色によって原稿サイズ検知可能な条件が異なる。このため、従来の装置では、原稿押さえが開いているか閉じているかを検出するための、押さえ開閉角度検知手横を有する。
【０００７】
開閉角度検知手段は、装置に組み込まれているため、一般的に、原稿押さえが特定の角度（たとえば、水平方向に対して０度と１５度）にあることを検出する。そして、従来の装置では、例えば１５度のときを原稿押さえが開いている状態とし、０度のときを原稿押さえが閉じている状態とされていた。
【０００８】
原稿押さえが開いているときは、画像読取装置がＭＦＰ（Multi  Function  Peripheral）のような装置に組込まれた場合、組込まれた装置の設置場所によって、画像読取装置に入射する有害光の影響が異なる。これにより、原稿押さえの開閉状態を決定するために最適な、検出するべき原稿押さえの角度は異なる。
【０００９】
このような画像読取装置について、特許文献１（特開２０１０−１９９８０６）では、いかなる設置場所でも最適な検知タイミングで検知できるように、原稿押さえに２軸の角度センサを取り付けた装置が開示されている。このような装置によれば、ユーザが、原稿押さえについて検知する角度を任意に設定できたり、また、高速に原稿押さえを閉じたときの検知エラーが解消されたりする。
【先行技術文献】
【特許文献】
【００１０】
【特許文献１】特開２０１０−１９９８０６号公報
【発明の概要】
【発明が解決しようとする課題】
【００１１】
しかしながら、従来の技術では、原稿押さえを閉じたときの当該原稿押さえの原稿ガラスに対する角度は、原稿の厚みによって異なる。したがって、単に開閉状態を検出するために検出するべき原稿押さえの角度を設定できるようにしただけでは、原稿の厚みが変化した場合に対応できない。
【００１２】
本発明は、かかる実情に鑑み考え出されたものであり、その目的は、原稿の厚みによらず、原稿サイズを検知することができる画像読取装置を提供することである。
【課題を解決するための手段】
【００１３】
本発明に従った画像読取装置は、原稿を押さえるための原稿押さえ手段と、原稿押さえ手段の開閉の角度を検知する角度検知手段と、原稿の大きさを検知する原稿サイズ検知手段とを備え、原稿サイズ検知手段は、角度検知手段によって検知された少なくとも２つの角度のそれぞれのときに、原稿の大きさを検知する。
【００１４】
好ましくは、原稿が載置される載置手段をさらに備え、角度検知手段は、原稿押さえ手段の載置手段に対する角度を検知する。
【００１５】
好ましくは、原稿サイズ検知手段は、角度検知手段の検知する角度が３０度から２度の間の少なくとも２つの角度において、原稿の大きさを検知する。
【００１６】
好ましくは、原稿サイズ検知手段は、原稿押さえ手段が閉じられるように動作しているときに、原稿の大きさを検知する。
【００１７】
好ましくは、原稿サイズ検知手段は、少なくとも２つの角度で検出された原稿の大きさの検知のための出力における、変化の有無に基づいて、原稿の大きさを検知する。
【００１８】
好ましくは、原稿サイズ検知手段は、原稿の画像を読取る。
好ましくは、角度検知手段は、原稿押さえ手段の回転量を検知するための手段を含む。
【発明の効果】
【００１９】
本発明によれば、原稿押さえ手段の開閉角度が少なくともある２つの角度のときのそれぞれにおいて、原稿のサイズ検知が行なわれる。これにより、原稿の厚みによらず、原稿の地肌の色による原稿のサイズ検知エラーを防ぐことができる。
【図面の簡単な説明】
【００２０】
【図１】本発明の画像読取装置の第１の実施の形態を示す図である。
【図２】図１の画像読取装置における、カバーの角度が変更された際の、ラインセンサにおける読取光量の一例を示す図である。
【図３】図１の画像読取装置における、カバーの角度が変更された際の、ラインセンサにおける読取光量の他の例を示す図である。
【図４】図１の画像読取装置における、カバーの角度の検出方法の一例を説明するための図である。
【図５】図４のスイッチユニットの拡大図である。
【図６】図５のスイッチユニットの機能を説明するための図である。
【図７】図５のスイッチユニットの機能を説明するための図である。
【図８】本発明の第２の実施の形態のスリット部の形状を説明するための図である。
【図９】図２の読取光量を説明するための図である。
【図１０】図３の読取光量を説明するための図である。
【図１１】第２の実施の形態のスリット部が下方に変位する際の、光学センサの受光素子の検出出力の時間変化の一例を示す図である。
【図１２】第２の実施の形態のスリット部が下方に変位する際の、光学センサの受光素子の検出出力の時間変化の他の例を示す図である。
【発明を実施するための形態】
【００２１】
以下、図面を参照しつつ、本発明の実施の形態について説明する。以下の説明では同一の部品は同一の符号が付してある。それらの名称および機能も同じである。したがって、それらについての詳細な説明は繰返さない。
【００２２】
［第１の実施の形態］
＜画像読取装置の概略構成＞
図１に、本発明の第１の実施の形態である画像読取装置を示す。なお、図１（Ａ）は、画像読取装置の垂直断面を示す。
【００２３】
画像読取装置は、本体２と、本体２の上方に設けられたカバー３（原稿押さえ手段）とによって、主に構成される。カバー３は、ヒンジ部４を支点として、本体２の上面を開閉可能に、矢印Ｒ１で示す方向に沿って移動可能に構成されている。カバー３Ａは、カバー３で示される位置から矢印Ｒ１方向にヒンジ部４を軸として回転移動された位置を示す。
【００２４】
図１（Ｂ）は、カバー３を除いた状態での画像読取装置の上面図である。
図１（Ｂ）をさらに参照して、本体２内には、主走査方向に延伸する走査ヘッド２０１が、副走査方向に延伸するガイド（図示略）に沿って移動可能に配設されている。また、走査ヘッド２０１は、原稿ガラス２００（載置手段）の上に載置した原稿Ｐに対向し、モータによって、ベルトを介して駆動され、ガイドに沿って副走査方向に移動する。図１（Ｂ）において、副走査方向は両矢印Ｒ２で示され、主走査方向は両矢印Ｒ３で示されている。なお、図１（Ａ）および図１（Ｂ）において、モータ、ベルト、および、ガイドの図示は省略されている。
【００２５】
また、本体２内には、ミラーユニット２０２、レンズ２０４、および、ミラーユニット２０２を介しレンズ２０４によって結像する光線の光量を読み取るラインセンサ２０３を配設されている。
【００２６】
また、本体２内には、画像読取装置における各種の制御を行なうための部品が収容されている。収容される部品は、たとえば、各種のモータや、当該モータの駆動を制御するための制御回路や、ラインセンサ２０３の読取った光量に基づいて原稿の画像データを生成するための回路を含む。
【００２７】
＜原稿サイズの検知＞
画像読取装置には、電気的手法により原稿ガラス２００上の原稿のサイズを検知するためのサイズ検出手段として、ハードウェア資源が搭載されている。このようなハードウェア資源は、たとえば、ＣＰＵ（Central  Processing  Unit）のような演算手段と、当該演算手段が実行するプログラムを記憶する記憶装置とによって構成され、当該演算手段が適宜プログラムを実行することによって、ラインセンサ２０３によって読取られた光量等が適宜処理されて、原稿のサイズが検知される。
【００２８】
本実施の形態の画像読取装置では、上記した主走査方向および副走査方向について、原稿ガラス２００上に原稿が存在するか否かが判断される。そして、画像読取装置では、たとえば、主走査方向と副走査方向の原稿の存在領域に基づいて、原稿のサイズが決定される。
【００２９】
主走査方向の原稿の存在領域は、公知の手法を採用することができ、たとえば、原稿ガラス２００の本体２側の面に、予測される複数の原稿サイズの端部に対応するそれぞれの位置にセンサを設けておき、各センサ上に原稿が存在するか否かを判断することにより、判断される。
【００３０】
副走査方向の原稿の存在領域は、走査ヘッド２０１を移動させることなく発光させ、ラインセンサ２０３に主走査方向全域の光量を読み取らせることにより、つまり、主走査方向全域における光量に基づいて、判断される。
【００３１】
本実施の形態では、カバー３の回転角度が検出される。この角度は、本明細書では、カバー３のヒンジ部４によって固定される側の、原稿ガラス２００に対する角度として表される。図１（Ａ）において、カバー３Ａの、原稿ガラス２００に対する角度は０度である。以下、本明細書では、この角度を「カバー３の角度」と呼ぶこともある。また、本明細書では、カバー３の角度が小さくなる方向にカバー３が回転されること（つまり、図１（Ａ）の矢印Ｒ１の向きに回転されること）を「カバー３を閉じる」と言う。逆に、カバー３の角度が大きくなる方向にカバー３が回転されることを「カバー３を開く」という。
【００３２】
そして、本実施の形態では、カバー３が閉じられる際の、カバー３の複数の角度のそれぞれで、主走査方向におけるラインセンサ２０３の読取光量が検出される。そして、これらの検出出力に基づいて、主走査方向における原稿の存在領域が決定される。
【００３３】
図２は、画像読取装置における、カバー３の角度が変更された際の、ラインセンサ２０３における読取光量の一例を示す図である。なお、図２には、原稿が白地の用紙である場合の光量が示されている。図２において、縦軸は、原稿ガラス２００における主走査方向に配列された各画素を示し、横軸は、読取られた光量（つまり、原稿濃度）を示している。原稿ガラス２００上に白いものが載置されている場合には原稿濃度は高い値（図２において右側の値）となる。一方、原稿ガラス２００上に黒いものが載置されている場合には原稿濃度は低い値（図２において左側の値）となる。
【００３４】
図２は、線Ｄ１１〜Ｄ１４のそれぞれによって示される４つの結果を含む。線Ｄ１１は、カバー３の角度が３０度程度のときの結果である。そして、線Ｄ１２、線Ｄ１３、線Ｄ１４の順に、カバー３の角度が小さくなったときの結果となっている。
【００３５】
図２では、主走査方向の所定の位置を境にして、カバー３の角度の変更に伴って画像濃度が大きく変化する領域とあまり変化しない領域が生じている。図９には、当該境となる位置が、Ａ１として示されている。なお、線Ｄ１１〜Ｄ１４は、主走査方向の寸法が既知の原稿についてのデータであり、図９のＡ１は、当該主走査方向における原稿の有無の境界に対応する。なお、図９において、Ａ０は、主走査方向における画像濃度の検出が行なわれた範囲を示す。そして、Ａ１より上側の領域が原稿が存在する領域に対応し、Ａ１より下側の領域が原稿が存在しない領域に対応している。
【００３６】
図９をさらに参照して、線Ｄ１１〜Ｄ１４では、Ａ１より下側の領域では、カバー３の角度が小さくなるほど、原稿が存在する領域と存在しない領域とで、画像濃度の差が小さくなっている。これは、カバー３の、原稿（原稿ガラス２００）に当接する面が白い部材から構成されているためであると考えられる。
【００３７】
一方、線Ｄ１１〜Ｄ１４によれば、原稿が存在する領域よりも原稿が存在しない領域の方が、線Ｄ１１に対する値の差が大きくなっている。
【００３８】
このような特性を利用して、本実施の形態の画像読取装置では、カバー３の複数の角度のそれぞれにおいて主走査方向の画像濃度を検出し、それらの差が所定の値以上であるか否かに基づいて、原稿が存在するか否かが判断される。つまり、本実施の形態では、上記さが所定の値以上である部分が、複数の「カバー３の角度」での検出結果に「変化がある」と判断され、所定の値未満である部分が、複数の「カバー３の角度」での検出結果に「変化が無い」と判断されることに相当する。
【００３９】
図３は、カバー３の角度が変更された際のラインセンサ２０３における読取光量の他の例を示す図である。なお、図３には、原稿が黒地の用紙である場合の光量が示されている。図３の縦軸および横軸は、図２（図９）と同様である。
【００４０】
図３は、線Ｄ２１〜Ｄ２４のそれぞれによって示される４つの結果を含む。線Ｄ２１は、カバー３の角度が３０度程度のときの結果である。そして、線Ｄ２２、線Ｄ２３、線Ｄ２４の順に、カバー３の角度が小さくなったときの結果となっている。
【００４１】
図３では、主走査方向の所定の位置を境にして、カバー３の角度の変更に伴って画像濃度が大きく変化する領域とあまり変化しない領域が生じている。図１０には、当該境となる位置が、Ａ２として示されている。なお、線Ｄ２１〜Ｄ２４は、主走査方向の寸法が既知の原稿についてのデータであり、図１０のＡ２は、当該主走査方向における原稿の有無の境界に対応する。なお、図１０において、Ａ０は、主走査方向における画像濃度の検出が行なわれた範囲を示す。そして、Ａ２より上側の領域が原稿が存在する領域に対応し、Ａ２より下側の領域が原稿が存在しない領域に対応している。
【００４２】
図１０をさらに参照して、線Ｄ２１〜Ｄ２４では、Ａ２より下側の領域では、カバー３の角度が小さくなると、一度、原稿が存在する領域と存在しない領域とで、画像濃度の差が小さくなり（線Ｄ２２）、その後、これらの領域間での差が開いている（線Ｄ２３，線Ｄ２４）。
【００４３】
一方、線Ｄ２１〜Ｄ２４によれば、原稿が存在する領域よりも原稿が存在しない領域の方が、線Ｄ１１に対する値の差が大きくなっている。
【００４４】
図２および図９を参照して説明したように、本実施の形態の画像読取装置では、カバー３の複数の角度のそれぞれにおいて主走査方向の画像濃度を検出し、それらの差が所定の値以上であるか否かに基づいて、原稿が存在するか否かが判断される。このことは、図３および図１０を参照して説明したような、原稿が黒い用紙である場合であっても、適用することができる。
【００４５】
以上説明した本実施の形態では、カバー３が閉じられる際の異なる２つ以上の角度で主走査方向の画像濃度が検出され、異なる角度での検出結果において、同じ主走査方向の位置の画像濃度の差が算出され、そして、当該差が所定の値以上であるか否かによって、主走査方向の原稿の存在領域が判断される。
【００４６】
なお、原稿の存在領域を決定するための所定の値は、装置に採用される部品の特性等に応じて適宜設定される。
【００４７】
本実施の形態では、上記のように複数の角度のそれぞれにおいて主走査方向における画像濃度が検出され、そして、主走査方向の各位置で、複数の角度で検出された結果の差分が求められ、当該差分に基づいて原稿の主走査方向の存在領域が決定されるため、たとえ原稿の厚みが変更した場合であっても、複数の角度のいずれかでは、主走査方向上で原稿の有無に基づいた画像濃度に変化が見られると考えられる。これにより、原稿の厚みが変化した場合であっても、主走査方向の原稿のサイズを決定できる。
【００４８】
＜カバーの角度の検出方法＞
カバー３の角度の検出方法としては、種々の検出方法を挙げることができる。
【００４９】
図４は、カバー３の角度の検出方法の一例を説明するための図である。図４には、本体２の斜視図が示されている。なお、図４において、端部Ｃで示された側に、ヒンジ部４が設けられている。つまり、端部Ｃで示された側を軸として、カバー３は回転移動する。
【００５０】
本体２の側面の上端には、センサ２２０が設けられている。センサ２２０は、カバー３の角度が０度であるか否かを検出するためのセンサであり、たとえば磁気センサによって実現される。なお、本実施の形態では、カバー３には、その角度が０度とされた際にセンサ２２０に当接（または、センサ２２０で検出できる程度に近接）する磁石が備えられている。
【００５１】
画像読取装置におけるサイズ検出手段は、センサ２２０が上記磁石と当接したか否かを検出する。そして、当接したことを検出したとき、カバー３の角度が０度であると判断する。
【００５２】
また、本体２には、スイッチユニット２３０が設けられている。図５は、スイッチユニット２３０の拡大図である。
【００５３】
図５をさらに参照して、スイッチユニット２３０は、本体２に固定されているケース部２３１と、ケース部２３１に固定されている支持部２３２Ｄと、支持部２３２Ｄの上部にはめ込まれているキャップ部２３２Ｃと、支持部２３２Ｄに巻きつけられキャップ部２３２Ｃを上方に付勢するバネ等の付勢部材２３２Ａと、キャップ部２３２Ｃに固定されているスリット部２３２Ｂと、光学センサ２３３とを含む。
【００５４】
光学センサ２３３は、投光素子と受光素子を含む。図５に示された状態では、スリット部２３２Ｂは当該投光素子および受光素子よりも上方に位置している。これにより、投光素子から送られる光は、スリット部２３２Ｂに遮断されることなく、受光素子に届けられる。
【００５５】
スイッチユニット２３０では、カバー３が十分に開いている状態では、図５に示されるように、キャップ部２３２Ｃは少なくとも一部がケース部２３１より上方に位置している。そして、カバー３が閉じられると、キャップ部２３２Ｃは、カバー３により下方に向けて押圧される。そして、当該押圧力は、付勢部材２３２Ａの上方向の付勢力を超える。これにより、キャップ部２３２Ｃは、ケース部２３１内に収容されるように、下方に移動する。
【００５６】
キャップ部２３２Ｃの下方への移動に伴って、スリット部２３２Ｂも下方に移動する。
スリット部２３２Ｂは、下方に移動することにより、投光素子と受光素子の間に位置するようになる。
【００５７】
つまり、カバー３の角度が十分に大きいときには、図６に示されるように、スリット部２３２Ｂは光学センサ２３３の投光素子の光路を遮らないが、カバー３の角度が所定の角度以下になると、スリット部２３２Ｂは図６に矢印Ｒ９で示された向きに変位して、図７に示されるような配置になる。図７に示された配置では、スリット部２３２Ｂが上記投光素子の光路を遮断し、受光素子が受光する光量が変化する。
【００５８】
なお、本実施の形態では、カバー３の角度が減少し、３０度以下になったときに、図７に示されるように光路を遮断するように、各部材が配置される。
【００５９】
そして、このような構成により、本実施の形態のサイズ検出手段は、当該受光素子における受光量の変化に基づいて、カバー３の角度が減少し３０度以下となったタイミングを検知する。
【００６０】
また、カバー３の角度が３０度以下の状態では、角度の変化に伴ってキャップ部２３２Ｃが変位し、それに伴ってスリット部２３２Ｂが変位しても、その範囲内であればスリット部２３２Ｂは上記光路を遮断し続ける。
【００６１】
つまり、本実施の形態のサイズ検出手段は、カバー３の角度が３０度を越えた状態から、３０度以下となる状態へと、状態が切り替わるタイミングを検出することができる。
【００６２】
本実施の形態では、主走査方向の原稿のサイズの検出のために、カバー３の角度が３０度を越えた状態からカバー３が閉じられて、３０度となった時点で、一度、主走査方向の画像濃度が検出される。そして、カバー３の角度が０度となった時点で、再度、主走査方向の画像濃度が検出される。そして、主走査方向の各点に関し、これらの２度の画像濃度の検出で得られた結果の差を算出する。そして、算出された差が所定の値以上の場所は原稿が存在せず、所定の値未満の場所は原稿が存在すると判断される。そして、このような判断結果に基づいて、主走査方向における原稿の存在領域が決定され、これに基づき、当該方向の原稿のサイズが決定される。
【００６３】
なお、本実施の形態では、２回の検出は、カバー３の角度が３０度、０度のときになされたが、どの角度で検出が行なわれるかについては、画像読取装置を構成する部材の特性等に応じて適宜設定することができる。カバー３が閉じられたとき（カバー３の角度が０度になったとき）にすぐに原稿の画像読取処理を実行できるように、０度よりも少し大きい角度（たとえば、２度以上）で、２回目の検出が行なわれることが好ましい。また、カバー３の角度が３０度以上で１回目の検出が行なわれても良いが、外乱光の影響を抑えるため、１回目の検出は３０度以下で行なわれることが好ましい。
【００６４】
また、検出の回数は２回に限定されず、３回以上であっても良い。それら３回の検出によって得られた結果から、異なる２回の検出結果が抽出され、主走査方向について上記差が求められることにより、主走査方向の原稿サイズを決定できる。
【００６５】
なお、本実施の形態では、キャップ部２３２Ｃやスリット部２３２Ｂを備えるスイッチユニット２３０によってカバー３の開閉角度を検出していたが、このような検出態様は単なる一例であり、本発明の画像読取装置における検出態様はこれに限定されない。
【００６６】
［第２の実施の形態］
以上説明した第１の実施の形態では、図５等に示されたように、スリット部２３２Ｂの形状は長方形とされていた。つまり、キャップ部２３２Ｃの変位に伴って変位する垂直方向についての寸法が変化しなかった。
【００６７】
本実施の形態では、スリット部２３２Ｂの垂直方向の寸法を異ならせても良い。
図８は、本実施の形態のスリット部２３２Ｂの形状を説明するための図である。
【００６８】
図８（Ａ）は、第１の実施の形態のスリット部２３２Ｂの形状を示し、図８（Ｂ）および図８（Ｃ）は、本実施の形態のスリット部２３２Ｂの形状を示している。
【００６９】
図８（Ｂ）に示されたスリット部２３２Ｂは、光学センサ２３３の光路に対応する部分が２つに分割された形状を有し、図８（Ｂ）では、当該部分にＰ１，Ｐ２，Ｐ３,Ｐ４の符号が下から順に付されている。キャップ部２３２Ｃがカバー３に押圧されることにより下方に変位した場合、図８（Ｂ）のスリット部２３２Ｂの点Ｐ１、点Ｐ２、点Ｐ３、点Ｐ４の順に、光学センサ２３３の光路を通過する。なお、点Ｐ１から点Ｐ２が光路に存在している期間は、スリット部２３２Ｂは当該光路を遮断する。点Ｐ３から点Ｐ４が光路に存在する期間は、スリット部２３２Ｂは当該光路を遮断しない。そして、点Ｐ３から点Ｐ４が光路に存在する期間は、スリット部２３２Ｂは当該光路を遮断する。
【００７０】
図１１は、スリット部２３２Ｂが図８（Ｂ）に示された形状を有する場合に想定される、スリット部２３２Ｂが下方に変位する際の、光学センサ２３３の受光素子の検出出力の時間変化を示す。図１１において、受光量Ｑ２は、スリット部２３２Ｂによって光路を遮断されたときの受光量を示し、受光量Ｑ１は、スリット部２３２Ｂが光路を遮断していないときの受光量を示す。また、図１１において、時刻Ｔ１は点Ｐ１が光路に存在する時刻であり、時刻Ｔ２は点Ｐ２が光路に存在する時刻であり、時刻Ｔ３は点Ｐ３が光路に存在する時刻であり、時刻Ｔ４は点Ｐ４が光路に存在する時刻である。
【００７１】
図８（Ｂ）に示された例では、カバー３が閉じられる期間中、時刻Ｔ１として示されたように初めて受光量がＱ２からＱ１まで変化したタイミングに、カバー３の角度が第１の角度に到達したことが、そして、時刻Ｔ３として示されたように二回目に受光量がＱ２からＱ１まで変化したタイミングに、カバー３の角度が第２の角度に到達したことが、検出される。
【００７２】
これにより、第１の実施の形態において、カバー３の２つの角度を検出するために、センサ２２０とスイッチユニット２３０の、２組の検出手段を必要とされていたところ、スリット部２３２Ｂの形状を図８（Ｂ）に示されたものとすることにより、スイッチユニット２３０のみで、カバー３の２つの角度を検出することができる。
【００７３】
また、スリット部２３２Ｂの形状としては、図８（Ｃ）に示されるものも考えられる。
図８（Ｃ）に示された形状は、下方（図８（Ｃ）の矢印Ｒ４で示される向き）に向かうほど、幅方向（図８（Ｃ）の量矢印の寸法が短くなるものである。これにより、スリット部２３２Ｂのうち、光学センサ２３３の光路を横切る部分の幅方向（キャップ部２３２Ｃの変位に伴って変位する方向に交わる方向）の寸法が、スリット部２３２Ｂの変位に伴って変化する。
【００７４】
図１２は、スリット部２３２Ｂが図８（Ｃ）に示された形状を有する場合に想定される、スリット部２３２Ｂが下方に変位する際の、光学センサ２３３の受光素子の検出出力の時間変化を示す。図１２において、受光量Ｑ３は、スリット部２３２Ｂによって光路を遮断されたときの受光量を示す。また、図１２において、時刻Ｔ１１は、図８（Ｃ）に示された形状を有するスリット部２３２Ｂの下端が光学センサ２３３の光路を遮断し始める時刻である。
【００７５】
図１２では、時刻Ｔ１１以降、スリット部２３２Ｂの変位に伴って受光素子の受光量が連続的に変化している。
【００７６】
なお、スリット部２３２Ｂの変位量は、カバー３の角度に応じて変化する。
したがって、スリット部２３２Ｂが図８（Ｃ）に示された形状を有する場合、受光素子の受光量に基づいて、カバー３の角度を検出できる。つまり、この場合、サイズ検出手段は、カバー３の角度として、２つの角度だけでなく、３以上の複数の角度を検出することができる。
【００７７】
［第３の実施の形態］
画像読取装置は、カバー３の角度を検出する機構として、上記したセンサ２２０やスイッチユニット２３０の代わりに、ヒンジ部４の回転角度に応じて出力される電圧が変化するような回路が備えられても良い。
【００７８】
このような構成により、より確実に、カバー３の角度を検出できる。
［その他の変形例等］
以上説明した各実施の形態では、画像読取装置は、カバー３の角度を検出する機構を備え、そして、カバー３の角度が複数のそれぞれのときに、つまり、たとえば第１の角度と第２の角度のそれぞれのときに、原稿サイズの検出が行なわれ、当該複数の検出の結果に基づいて、最終的なサイズの決定が行なわれた。
【００７９】
第１〜第３の実施の形態では、原稿サイズの検出として、主走査方向についてのラインセンサ２０３における画像濃度が検出された。つまり、各実施の形態では、原稿の画像を読取る手段によって原稿サイズの検出がなされていた。なお、本発明では、画像読取装置において、原稿の画像を読取る手段とは別に、原稿サイズの検出を行なう手段が搭載されていても良い。
【００８０】
今回開示された実施の形態およびその変形例はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。また、実施の形態および各変形例は、可能な限り、単独でも、組合わせても、実施することを意図される。
【符号の説明】
【００８１】
２  本体、３  カバー、４  ヒンジ部、２００  原稿ガラス、２０１  走査ヘッド、２０２  ミラーユニット、２０３  ラインセンサ、２０４  レンズ、２２０  センサ、２３０  スイッチユニット、２３１  ケース部、２３２Ａ  付勢部材、２３２Ｂ  スリット部、２３２Ｃ  キャップ部、２３２Ｄ  支持部、２３３  光学センサ。
【図１】
2012217092.tif 000003
【図２】
2012217092.tif 000004
【図３】
2012217092.tif 000005
【図４】
2012217092.tif 000006
【図５】
2012217092.tif 000007
【図６】
2012217092.tif 000008
【図７】
2012217092.tif 000009
【図８】
2012217092.tif 000010
【図９】
2012217092.tif 000011
【図１０】
2012217092.tif 000012
【図１１】
2012217092.tif 000013
【図１２】
2012217092.tif 000014